(57)【要約】  【課題】  限られた数のボタンの有効活用を図る。  【解決手段】  自営システム網と公衆回線網との何れにも接続可能で、ダイヤルボタン１２とは別に外線の選択機能を有する選択ボタン１１を具備する端末装置において、何れの網に接続されているかを識別する回線識別手段と、回線識別手段が自営システム網に接続されていると判断した場合、選択ボタンは外線選択ボタンとして機能し、回線識別手段が公衆回線網に接続されていると判断した場合、選択ボタンの一部または全部を任意のサービス機能ボタンとして機能するように切り替える手段とを具備することを特徴とする。【選択図】  図１
2006270313.tif 000002
【特許請求の範囲】
【請求項１】
自営システム網と公衆回線網との何れにも接続可能で、ダイヤルボタンとは別に外線の選択機能を有する選択ボタンを具備する端末装置において、何れの網に接続されているかを識別する回線識別手段と、前記回線識別手段が前記自営システム網に接続されていると判断した場合、前記選択ボタンは外線選択ボタンとして機能し、前記回線識別手段が前記公衆回線網に接続されていると判断した場合、前記選択ボタンの一部または全部を任意のサービス機能ボタンとして機能するように切り替える手段とを具備することを特徴とする複数通信網に対応する移動通信端末。
【請求項２】
請求項１において、前記選択ボタンの一部または全部は表示手段を具備し、接続されている回線が前記自営システム網か前記公衆回線網かの種別または前記選択ボタンの機能の識別を表示することを特徴とする複数通信網に対応する移動通信端末。
【発明の詳細な説明】
【技術分野】
【０００１】
本発明は、複数通信網に対応する移動通信端末に関する。
【背景技術】
【０００２】
従来の公衆回線網と自営システム網等の複数の通信回線網に接続可能な移動通信端末（例えば構内ＰＨＳ）は、自営システム網等接続時に専用ボタンとして外線選択ボタンを装備し、該ボタンを押下することにより該当外線の捕捉を行う。
【０００３】
なお、公知文献としては、複数の通信回線網に接続可能な端末の電子電話帳を利用した発信操作を行うときに自動で発信可能なモードを判別し、例えば、屋内モード時は電子電話帳に登録された番号に外線捕捉特番を付加し発信するものがある。（例えば特許文献１及び２参照）
【特許文献１】特開平８−３３１６５０号公報
【特許文献２】特開２０００−１０１７０７号公報
【発明の開示】
【発明が解決しようとする課題】
【０００４】
しかし、従来の複数の通信回線網に接続可能な移動通信端末が、直接公衆回線網に接続された場合、外線選択機能は不要であり、外線選択ボタンは無駄となる課題がある。
【０００５】
本発明の目的は、公衆回線網で利用する際、無駄となっていた外線選択ボタンにワンタッチダイヤルボタン等の任意のサービス機能を割り当て、限られた数のボタンの有効活用を図る、複数通信網に対応する移動通信端末を提供する。
【課題を解決するための手段】
【０００６】
本発明は、自営システム網と公衆回線網との何れにも接続可能で、ダイヤルボタンとは別に外線の選択機能を有する選択ボタンを具備する端末装置において、何れの網に接続されているかを識別する回線識別手段と、前記回線識別手段が前記自営システム網に接続されていると判断した場合、前記選択ボタンは外線選択ボタンとして機能し、前記回線識別手段が前記公衆回線網に接続されていると判断した場合、前記選択ボタンの一部または全部を任意のサービス機能ボタンとして機能するように切り替える手段とを具備することを特徴とする。
【０００７】
また、前記選択ボタンの一部または全部は表示手段を具備し、接続されている回線が前記自営システム網か前記公衆回線網かの種別または前記選択ボタンの機能の識別を表示することを特徴とする。
【発明の効果】
【０００８】
本発明によれば、公衆回線網で利用する際、無駄となっていた外線選択ボタンにワンタッチダイヤル等の任意のサービス機能を割り当て、限られた数のボタンの有効活用を図り、端末サイズの増加を伴う新たなボタンを新設することなく、公衆回線網で利用する際の利便性を向上できる効果がある。
【発明を実施するための最良の形態】
【０００９】
図１は、本発明による複数通信網に対応する移動通信端末の実施の形態の外観図である。
【００１０】
図１において、１１は選択ボタンで、自営システム網で利用している場合は、着信待ち受け時に押下されると外線選択ボタンとして機能し、公衆回線網で利用している場合に押下されると任意のサービス機能ボタンとして機能するボタンである。
【００１１】
選択ボタン１１は、自営システム網の回線数と同じ数を有し、図１においては回線数が３つの場合に対応して３個の選択ボタンが横方向に配置されている。
【００１２】
また選択ボタン１は、接続されている回線が自営システム網か公衆回線網かの種別または選択ボタンの機能の識別を表示する。
【００１３】
１２はダイヤル発信を行うためのダイヤルボタン、１３はその他の機能ボタンで、設定が固定された機能ボタンである。１４は通話ボタン、１５は切断ボタンである。
【００１４】
１６はＬＣＤ表示部で、現在の接続回線を表示したり、発着信時に相手先電話番号、電池残量、受信電界強度等を表示したりする。１７はマイクで、相手先へ音声を送出する。１８はレシーバで、相手先からの音声を送出する。
【００１５】
図２は、本発明による複数通信網に対応する移動通信端末の実施の形態の構成図である。図１と同一個所に同一符号を付した。
【００１６】
図２において、２１はデータ制御処理部（ＣＰＵ）で、全体を動作させる指令を送出したり受信したりデータを処理する。２２はデータ入力処理部で、ボタン１１〜１５の状態が入力されデータ制御処理部（ＣＰＵ）２１へ送出する。
【００１７】
２３は送受信装置で、各接続回線網とのやり取りを送信したり受信したりする装置である。２４は回線制御及びデータ送受信部で、送受信装置２３を制御し、データを送出したり受信したりする。
【００１８】
なお、送受信装置２３は無線による送受信機能に加え、有線による送受信機能を具備している。３１は有線網（図示せず）の接続コネクタであり、このコネクタ３１に通常の電話回線（有線網）が接続された場合は有線による送受信となる。
【００１９】
２５は音声処理部で、データ制御処理部（ＣＰＵ）２１からの指令により、回線制御及びデータ送受信部２４より送出されたデータを変換しレシーバ１８に伝えたり、マイク１７より受信したデータを変換し回線制御及びデータ送受信部２４へ送出したりする。
【００２０】
２６はＬＣＤ駆動制御部で、データ制御処理部（ＣＰＵ）２１からの指令によりＬＣＤ表示部１６を制御する。２７はＬＥＤ駆動制御部で、データ制御処理部（ＣＰＵ）２１からの指令により選択ボタン１１のＬＥＤ表示を制御する。
【００２１】
２８は制御記憶回路で、動作処理、各接続回線網との指令内容が記憶されている回路である。２９は状態格納回路で、各接続回線網の動作状態を格納しておく回路である。３０は設定内容記憶回路で、選択ボタン１１がサービス機能ボタンの場合の設定内容及び相手先の電話番号などが記憶されている回路である。
【００２２】
上記データ制御処理部２１は、上記のように、全体を動作させる指令を送出したり受信したりデータを処理する他に、回線制御及びデータ送受信部２４からの情報を基に現在の接続回線を判断したり、データ入力処理部２２からの情報と設定内容記憶回路３０に記憶された情報を基に選択ボタン１１の現在の設定内容を判断する。
【００２３】
図３は、本発明による複数通信網に対応する移動通信端末の実施の形態における第１の動作フロー例を示す図である。本フロー例は、複数通信網に対応する移動通信端末がＰＨＳで、予め接続回線を設定し、且つ任意のサービス機能をワンタッチダイヤルボタンに設定した場合の動作についてのフローである。任意のサービス機能ボタンを複数個装備した場合にはボタン毎に機能の設定可能であり、接続回線毎の設定も可能である。
【００２４】
本フロー例のステップＳ３０１においては、選択ボタン１１が押下され、そのことがデータ入力処理部２２に入力され、データ制御処理部（ＣＰＵ）２１に送出することで、データ制御処理部（ＣＰＵ）２１は選択ボタン１１が押下されたことを検出する。
【００２５】
ステップＳ３０２においては、データ制御処理部（ＣＰＵ）２１は、予め回線制御及びデータ送受信部２４より入力された回線接続情報が格納された状態格納回路２９の内容を調べて、設定された接続回線が自営システム網かを判断する。設定された接続回線が自営システム網の場合はステップＳ３０３に進み、そうでない場合ステップＳ３１１に進む。
【００２６】
ステップＳ３０３においては、データ制御処理部（ＣＰＵ）２１は、設定内容記憶回路３０に予め記憶された情報を調べて、選択ボタン１１の設定は外線選択ボタンかを判断する。選択ボタン１１の設定が外線選択ボタンの場合はステップＳ３０４に進み、そうでない場合ステップＳ３０９に進む。
【００２７】
ステップＳ３０４においては、データ制御処理部（ＣＰＵ）２１は、制御記憶回路２８に記憶されている指令内容に基づいて、回線制御及びデータ送受信部２４に指令し送受信装置２３を制御して、自営システム網の電話回線である外線を捕捉する。
【００２８】
ステップＳ３０５においては、ダイヤルボタン１２で相手先電話番号が押下され、そのことがデータ入力処理部２２に入力され、データ制御処理部（ＣＰＵ）２１に送出され、データ制御処理部（ＣＰＵ）２１は、制御記憶回路２８に記憶されている指令内容に基づいて、回線制御及びデータ送受信部２４に指令して送受信装置２３を制御し、自営システム網を介して相手先電話番号の相手先電話に発信する。
【００２９】
ステップＳ３０６においては、データ制御処理部（ＣＰＵ）２１は、制御記憶回路２８に記憶されている指令内容に基づいて、回線制御及びデータ送受信部２４に指令し送受信装置２３を制御して、相手応答を調べる。応答があればステップＳ３０７に進み、応答がない場合は再度相手応答を調べる。
【００３０】
ステップＳ３０７においては、データ制御処理部（ＣＰＵ）２１は、制御記憶回路２８に記憶されている指令内容に基づいて、回線制御及びデータ送受信部２４に指令し送受信装置２３を制御して、電話回線を接続する。
【００３１】
ステップＳ３０８においては、データ制御処理部（ＣＰＵ）２１は、制御記憶回路２８に記憶されている指令内容に基づいて、回線制御及びデータ送受信部２４に指令し送受信装置２３を制御して、電話回線の切断を調べる。切断であれば終了する。切断しない場合は電話回線の接続を継続する。
【００３２】
ステップＳ３０９においては、データ制御処理部（ＣＰＵ）２１は、設定内容記憶回路３０に予め記憶されている任意のサービス機能を調べ、選択ボタン１１をワンタッチダイヤルボタンに切り替える。
【００３３】
ステップＳ３１０においては、データ制御処理部（ＣＰＵ）２１は、設定内容記憶回路３０を調べ、設定内容記憶回路３０に予め記憶されているワンタッチダイヤルボタンに対する相手先電話番号を、制御記憶回路２８に記憶されている指令内容に基づいて、回線制御及びデータ送受信部２４に指令して送受信装置２３を制御し、自営システム網を介して相手先電話番号の相手先電話に発信する。そしてステップＳ３０６に進む。
【００３４】
ステップ３１１においては、データ制御処理部（ＣＰＵ）２１は設定内容記憶回路３０に予め記憶されている任意のサービス機能を調べ、選択ボタン１１をワンタッチダイヤルボタンに切り替える。
【００３５】
ステップ３１２においてはデータ制御処理部（ＣＰＵ）２１は設定内容記憶回路３０を調べ、設定内容記憶回路３０に予め設定されているワンタッチダイヤルボタンに対する相手先電話番号を、制御記憶回路２８に記憶されている指令内容に基づいて、回線制御及びデータ送受信部２４に指令して送受信装置２３を制御し、公衆回線網を介して相手先電話番号に発信する。そしてステップ３０６に進む。
【００３６】
図４は、本発明による複数通信網に対応する移動通信端末の実施の形態における第２の動作フロー例を示す図である。本フロー例は、複数通信網に対応する移動通信端末がＰＨＳで、自動で接続回線を選択し、何れの通信回線に接続されているかと何れのサービス機能に設定されているかを３色ＬＥＤによる可視表示にて識別するフローである。
【００３７】
そのため、図１の選択ボタン１１内に多色ＬＥＤを実装し、または選択ボタン１１の近傍に多色ＬＥＤを設置し、ＬＥＤの発光色により識別を行う。またはＬＥＤを点滅させその周期により識別を行うことも、表示色と点滅周期を組み合わせることも可能である。このことにより、接続回線網と設定された機能の識別を容易に可視表示にて行うことができる。
【００３８】
本フロー例のステップＳ４０１においては、自営システム網圏内かを判断する。まずデータ制御処理部（ＣＰＵ）２１は、制御記憶回路２８に記憶されている指令内容に基づいて、回線制御及びデータ送受信部２４に指令して送受信装置２３を制御し、自営システム網で使用する制御チャネルをサーチする。
【００３９】
その結果自営システム網で使用する制御チャネルが受信可能で且つ位置登録可能閾値以上の電界強度の受信レベルであるか即ち自営システム網圏内かを判断する。自営システム網圏内の場合、自営システム網圏内の基地局に対して位置登録動作を行う。自営システム網圏内の場合はステップＳ４０２に進み、自営システム網圏内でない場合はステップＳ４０４に進む。
【００４０】
ステップＳ４０２においては、データ制御処理部（ＣＰＵ）２１は、接続回線を自営システム網に設定して、状態格納回路２９に格納する。
【００４１】
ステップ４０３においては、データ制御処理部（ＣＰＵ）２１は、ＬＥＤ駆動制御部２７を制御して選択ボタン１１をＬＥＤ赤で点灯し、自営システム網で外線選択ボタンであることを表示する。
【００４２】
ステップ４０４においては、データ制御処理部（ＣＰＵ）２１は、制御記憶回路２８に記憶されている指令内容に基づいて、回線制御及びデータ送受信部２４に指令して送受信装置２３を制御し、公衆回線網で使用する制御チャネルをサーチする。
【００４３】
その結果公衆回線網で使用する制御チャネルが受信可能で且つ位置登録可能閾値以上の電界強度の受信レベルであるか即ち公衆回線網圏内かを判断する。公衆回線網圏内の場合、公衆回線網圏内の基地局に対して位置登録動作を行う。公衆回線網圏内の場合はステップＳ４０５に進み、公衆回線網圏内でない場合はステップＳ４０７に進む。
【００４４】
ステップＳ４０５においては、データ制御処理部（ＣＰＵ）２１は、接続回線を公衆回線網に設定して、状態格納回路２９に格納する。
【００４５】
ステップＳ４０６においては、ＬＥＤ駆動制御部２７を制御して選択ボタン１１をＬＥＤ緑で点灯し、公衆回線網で任意のサービス機能ボタンであることを表示する。
【００４６】
ステップＳ４０７においては、データ制御処理部（ＣＰＵ）２１は、有線による接続か調べる。有線の場合はステップＳ４０８に進み、そうでなければ終了する。
【００４７】
ステップＳ４０８においては、データ制御処理部（ＣＰＵ）２１は、接続回線を有線網に設定して、状態格納回路２９に格納する。
【００４８】
ステップＳ４０９においては、ＬＣＤ駆動制御部２７を制御して選択ボタン１１をＬＥＤ青で点灯し、有線網で任意のサービス機能ボタンであることを表示する。
【００４９】
図５は、図１の複数通信網に対応する移動通信端末で、接続されている回線が自営システム網か公衆回線網かの種別および選択ボタンの機能の識別を表示する例で、選択ボタン１１をＬＥＤ赤で点灯し、自営システム網で外線選択ボタンであることを表示する図である。図４でのステップ４０３に対応する図である。
【００５０】
図６は、図１の複数通信網に対応する移動通信端末で、接続されている回線が自営システム網か公衆回線網かの種別および選択ボタンの機能の識別を表示する例で、選択ボタン１１をＬＥＤ緑で点灯し、公衆回線網で任意のサービス機能ボタンであることを表示する図である。図４でのステップ４０６に対応する図である。
【００５１】
図７は、図１の複数通信網に対応する移動通信端末で、接続されている回線が自営システム網か公衆回線網かの種別および選択ボタンの機能の識別を表示する例で、選択ボタン１１をＬＥＤ青で点灯し、有線網で任意のサービス機能ボタンであることを表示する図である。図４でのステップ４０９に対応する図である。
【００５２】
以上、実施の形態において、移動通信端末としてＰＨＳ、また複数回線として公衆回線網／自営システム網で説明したが、本発明はこれに限るものではない。例えば、移動通信端末としてＶｏＩＰ（ボイスオーバーインターネットプロトコル）対応の無線ＬＡＮ電話機であってもよい。この場合でも、無線ＬＡＮ対応の構内交換機と移動通信端末は無線ＬＡＮ接続するが、構内交換機の外線は複数あり、移動通信端末は複数の外線を選択する外線選択ボタンを具備することになる。その外線選択ボタンは公衆無線ＬＡＮ環境においては不要な機能であり、この外線選択ボタンに公衆無線ＬＡＮ環境で有用な任意のサービス機能を割り当てることも可能である。
【００５３】
また公衆回線網についてもＰＨＳ網に限るものではなく、一般の携帯電話網や公衆無線ＬＡＮ網でもよく、その場合には、上記回線に対応して送受信装置２３等を適応させればよい。
【図面の簡単な説明】
【００５４】
【図１】本発明による複数通信網に対応する移動通信端末の実施の形態の外観図である。
【図２】本発明による複数通信網に対応する移動通信端末の実施の形態の構成図である。
【図３】本発明による複数通信網に対応する移動通信端末の実施の形態における第１の動作フロー例を示す図である。
【図４】本発明による複数通信網に対応する移動通信端末の実施の形態における第２の動作フロー例を示す図である。
【図５】図１の複数通信網に対応する移動通信端末で、選択ボタンをＬＥＤ赤で点灯し、自営システム網で外線選択ボタンであることを表示する図である。
【図６】図１の複数通信網に対応する移動通信端末で、選択ボタンをＬＥＤ緑で点灯し、公衆回線網で任意のサービス機能ボタンであることを表示する図である。
【図７】図１の複数通信網に対応する移動通信端末で、選択ボタンをＬＥＤ青で点灯し、有線網で任意のサービス機能ボタンであることを表示する図である。
【符号の説明】
【００５５】
１１：選択ボタン
１２：ダイヤルボタン
１３：その他の機能ボタン
１４：通話ボタン
１５：切断ボタン
１６：ＬＣＤ表示部
１７：マイク
１８：レシーバ
２１：データ制御処理部（ＣＰＵ）
２２：データ入力処理部
２３：送受信装置
２４：回線制御及びデータ送受信部
２５：音声処理部
２６：ＬＣＤ駆動制御部
２７：ＬＣＤ駆動制御部
２８：制御記憶回路
２９：状態格納回路
３０：設定内容記憶回路
３１：有線網の接続コネクタ
【図１】
2006270313.tif 000003
【図２】
2006270313.tif 000004
【図３】
2006270313.tif 000005
【図４】
2006270313.tif 000006
【図５】
2006270313.tif 000007
【図６】
2006270313.tif 000008
【図７】
2006270313.tif 000009